(57)【要約】【課題】本発明は、ロール紙（被印字媒体）の交換や清掃等により蓋部を開放しても、蓋部に取り付けられた固定刃が露出することなく、蓋部に取り付けられた固定刃を意識することなく交換や清掃等の作業を行うことができ、作業効率を向上させることができる切断装置を提供することを課題とする。【解決手段】固定刃４０を被印字媒体１の搬送方向上流側に刃面４０ｂが向くように配置すると共に、固定刃４０にスライド可能に取り付けられ、蓋部１３の解放時に、固定刃４０の刃先線４０ａを刃面４０ｂ側から覆うと共に、蓋部１３の閉成時に、固定刃４０の根元方向にスライド移動され、固定刃４０の刃先線４０ａを露出させるカバー部材４８を設ける。【選択図】        図４
2010005734.tif 000002
【特許請求の範囲】
【請求項１】
筐体本体の上部を開閉可能な蓋部を有するプリンタに組み付けられ、前記蓋部に取り付けられている固定刃に向けて、前記筐体本体に取り付けられている可動刃を移動させることで噛み合わせ、印字が施された被印字媒体を切断する切断装置であって、
前記固定刃は、前記被印字媒体の搬送方向上流側に刃面が向くように配置された片刃であり、
前記固定刃にスライド可能に取り付けられ、前記蓋部の解放時に、前記固定刃の刃先線を前記刃面側から覆うカバー手段を具備し、
前記カバー手段は、前記蓋部の閉成時に、前記固定刃の根元方向にスライド移動され、前記固定刃の刃先線を露出させることを特徴とする切断装置。
【請求項２】
筐体本体の上部を開閉可能な蓋部と、サーマルヘッドとインクリボンの搬送機構とが取り付けられ、前記蓋部と前記筐体本体との間に設けられた、前記蓋部に嵌脱可能な印字ユニットとを有するプリンタに組み付けられ、前記蓋部に取り付けられている固定刃に向けて、前記筐体本体に取り付けられている可動刃を移動させることで噛み合わせ、印字が施された被印字媒体を切断する切断装置であって、
前記固定刃は、前記被印字媒体の搬送方向上流側に刃面が向くように配置された片刃であり、
前記蓋部に嵌装されている前記印字ユニットを引き出す際に、前記固定刃が前記印字ユニットに接触しないように退避させる、前記固定刃が取り付けられた固定刃ホルダと、
前記固定刃にスライド可能に取り付けられ、前記蓋部の解放時に、前記固定刃の刃先線を前記刃面側から覆うカバー手段と、
該固定刃ホルダに取り付けられ、前記カバー手段を前記固定刃の刃先線方向に付勢する付勢手段と、
前記カバー手段の両端に形成され、前記被印字媒体の幅より広い間隔で、且つ前記被印字媒体の搬送路の域外に、前記付勢手段の付勢方向に突出した突起手段とを具備し、
前記蓋部の解放時には、前記カバー手段が前記付勢手段の付勢力によって刃先線の方向にスライド移動されることで、前記固定刃の刃先線が前記カバー手段によって覆われ、
前記蓋部の閉成時には、前記カバー手段に形成された前記突起手段が前記筐体本体に設けられた被当接手段と当接することで、前記カバー手段が前記付勢手段の付勢力に抗して前記固定刃の根元方向にスライド移動され、前記固定刃の刃先線が前記カバー手段から露出されることを特徴とする切断装置。
【請求項３】
前記カバー手段には、前記蓋部の閉成時に、前記被印字媒体を前記固定刃と前記可動刃との間に案内するガイド面が形成されていることを特徴とする１又は２記載の切断装置。
【発明の詳細な説明】
【技術分野】
【０００１】
本発明は、固定刃と可動刃とからなるギロチン式の切断装置に関し、特にギロチン式の切断装置をプリンタに組み込む際に、可動刃をプリンタの筐体本体に取り付けると共に、ギロチン式の切断装置の固定刃を筐体本体に対して可動な蓋部に取り付けた切断装置に関する。
【背景技術】
【０００２】
従来、ギロチン式の切断装置の可動刃を筐体本体に取り付けると共に、ギロチン式の切断装置の固定刃を筐体本体に対して可動な蓋部に取り付け、蓋部を解放すると固定刃と可動刃との間が大きく開くように構成することで、頻繁に行われるロール紙（被印字媒体）の交換や清掃等を円滑に行えるようにした切断装置付のプリンタが知られている（例えば、特許文献１参照）。
【０００３】
しかしながら、従来技術では、ロール紙（被印字媒体）の交換や清掃等を行うために蓋部を開放すると、蓋部に取り付けられた固定刃が露出するため、露出した固定刃を避けて交換や清掃等の作業を行う必要があり、作業効率が低下してしまうという問題点があった。
【０００４】
【特許文献１】特開２００３−３０５９０７号公報
【発明の開示】
【発明が解決しようとする課題】
【０００５】
本発明は斯かる問題点に鑑みてなされたものであり、その目的とするところは、ロール紙（被印字媒体）の交換や清掃等により蓋部を開放しても、蓋部に取り付けられた固定刃が露出することなく、蓋部に取り付けられた固定刃を意識することなく交換や清掃等の作業を行うことができ、作業効率を向上させることができる切断装置を提供する点にある。
【課題を解決するための手段】
【０００６】
本発明は上記課題を解決すべく、以下に掲げる構成とした。
請求項１記載の発明の要旨は、筐体本体の上部を開閉可能な蓋部を有するプリンタに組み付けられ、前記蓋部に取り付けられている固定刃に向けて、前記筐体本体に取り付けられている可動刃を移動させることで噛み合わせ、印字が施された被印字媒体を切断する切断装置であって、前記固定刃は、前記被印字媒体の搬送方向上流側に刃面が向くように配置された片刃であり、前記固定刃にスライド可能に取り付けられ、前記蓋部の解放時に、前記固定刃の刃先線を前記刃面側から覆うカバー手段を具備し、前記カバー手段は、前記蓋部の閉成時に、前記固定刃の根元方向にスライド移動され、前記固定刃の刃先線を露出させることを特徴とする切断装置に存する。
また請求項２記載の発明の要旨は、筐体本体の上部を開閉可能な蓋部と、サーマルヘッドとインクリボンの搬送機構とが取り付けられ、前記蓋部と前記筐体本体との間に設けられた、前記蓋部に嵌脱可能な印字ユニットとを有するプリンタに組み付けられ、前記蓋部に取り付けられている固定刃に向けて、前記筐体本体に取り付けられている可動刃を移動させることで噛み合わせ、印字が施された被印字媒体を切断する切断装置であって、前記固定刃は、前記被印字媒体の搬送方向上流側に刃面が向くように配置された片刃であり、前記蓋部に嵌装されている前記印字ユニットを引き出す際に、前記固定刃が前記印字ユニットに接触しないように退避させる、前記固定刃が取り付けられた固定刃ホルダと、前記固定刃にスライド可能に取り付けられ、前記蓋部の解放時に、前記固定刃の刃先線を前記刃面側から覆うカバー手段と、該固定刃ホルダに取り付けられ、前記カバー手段を前記固定刃の刃先線方向に付勢する付勢手段と、前記カバー手段の両端に形成され、前記被印字媒体の幅より広い間隔で、且つ前記被印字媒体の搬送路の域外に、前記付勢手段の付勢方向に突出した突起手段とを具備し、前記蓋部の解放時には、前記カバー手段が前記付勢手段の付勢力によって刃先線の方向にスライド移動されることで、前記固定刃の刃先線が前記カバー手段によって覆われ、前記蓋部の閉成時には、前記カバー手段に形成された前記突起手段が前記筐体本体に設けられた被当接手段と当接することで、前記カバー手段が前記付勢手段の付勢力に抗して前記固定刃の根元方向にスライド移動され、前記固定刃の刃先線が前記カバー手段から露出されることを特徴とする切断装置に存する。
また請求項３記載の発明の要旨は、前記カバー手段には、前記蓋部の閉成時に、前記被印字媒体を前記固定刃と前記可動刃との間に案内するガイド面が形成されていることを特徴とする請求項１記載の切断装置に存する。
【発明の効果】
【０００７】
本発明の切断装置は、固定刃を被印字媒体の搬送方向上流側に刃面が向くように配置すると共に、固定刃にスライド可能に取り付けられ、蓋部の解放時に、固定刃の刃先線を刃面側から覆うと共に、蓋部の閉成時に、固定刃の根元方向にスライド移動され、固定刃の刃先線を露出させるカバー手段を設けることにより、蓋部の解放時には、カバー手段よって固定刃の刃先線が覆われるため、ロール紙（被印字媒体）の交換や清掃等により蓋部を開放しても、蓋部に取り付けられた固定刃が露出することなく、蓋部に取り付けられた固定刃を意識することなく交換や清掃等の作業を行うことができ、作業効率を向上させることができると共に、カバー手段によって刃面側から刃先線を覆うように構成しているため、固定刃の刃先線に引っ掛かることなく、カバー手段をスライド移動させることができ、蓋部の閉成時に刃固定刃の先線をカバー部材から確実に露出させることができるという効果を奏する。
【０００８】
また、本発明の切断装置は、蓋部に嵌装されている印字ユニットを引き出す際に、固定刃が印字ユニットに接触しないように退避させる、固定刃が取り付けられた固定刃ホルダと、固定刃にスライド可能に取り付けられ、固定刃の刃先線を刃面側から覆うカバー手段と、固定刃ホルダに取り付けられ、カバー手段を固定刃の刃先線方向に付勢する付勢手段と、カバー手段の両端に形成され、被印字媒体の幅より広い間隔で、且つ被印字媒体の搬送路の域外に、付勢手段の付勢方向に突出した突起手段とを設け、蓋部の解放時には、カバー手段が付勢手段の付勢力によって刃先線の方向にスライド移動されることで、固定刃の刃先線がカバー手段によって覆われ、蓋部の閉成時には、カバー手段に形成された突起手段が筐体本体に設けられた被当接手段と当接することで、カバー手段が付勢手段の付勢力に抗して固定刃の根元方向にスライド移動され、固定刃の刃先線がカバー手段から露出されるように構成することにより、固定刃の刃先線を覆うカバー手段が固定刃に取り付けられ、且つ固定刃ホルダに取り付けられた付勢手段によってカバー手段が刃先線の方向にスライド移動され、固定刃の刃先線がカバー手段によって覆われるため、固定刃ホルダが固定刃を印字ユニットに接触しないように退避させても、カバー手段によって確実に固定刃の刃先線を覆うことができるという効果を奏する。
【０００９】
さらに、本発明の切断装置は、蓋部の閉成時に、被印字媒体を固定刃と可動刃との間に案内するガイド手段として機能するガイド面をカバー手段に形成するように構成することにより、蓋部の解放時に固定刃を覆うカバー手段を、蓋部の閉成時に被印字媒体を案内するガイド手段として用いることができるため、装遅構成を簡略化することができ、コストダウンを実現することができるという効果を奏する。
【発明を実施するための最良の形態】
【００１０】
以下、本発明の実施の形態を図面に基づいて詳細に説明する。
【００１１】
図１は、本発明に係る切断装置の実施の形態が組み込まれたプリンタの構成を示す概略側断面図であり、図２は、図１に示すプリンタの蓋部を開けた状態を示す概略側断面図であり、図３は、図１に示すプリンタの印字ユニットを引き出した状態を示す概略側断面図であり、図４は、本発明に係る切断装置の実施の形態における固定刃覆蓋状態の構成を示す側面図および斜視図であり、図５は、図４に示す固定刃およびカバー部材の取り付けユニットの構成を示す分解斜視図であり、図６は、本発明に係る切断装置の実施の形態における固定刃露出状態の構成を示す側面図および斜視図である。
【００１２】
本実施の形態の切断装置３０は、プリンタ１０によって印字が施された被印字媒体１を固定刃４０と、当該固定刃４０に向けて移動可能な可動刃６０とを噛み合わせることにより切断する装置であり、図１乃至図３を参照すると、筐体本体１１の支持軸１２に支持され、筐体本体１１の上部を開閉可能な蓋部１３を有するプリンタ１０に組み付けられ、固定刃４０が蓋部１３に取り付けられていると共に、可動刃６０が筐体本体１１に取り付けられている。
【００１３】
プリンタ１０は、図１を参照すると、印字部として、プラテンローラ１４と、複数の発熱体が幅方向に形成されている面（以下、印字面と称す）がプラテンローラ１４に対向するように配置されたサーマルヘッド１５とを有し、複数枚のラベルが帯状台紙に仮着されているラベル連続体等の被印字媒体１とインクリボンとを重ねてプラテンローラ１４とサーマルヘッド１５との間に挟持搬送し、サーマルヘッド１５の発熱体を選択的に発熱させることにより、被印字媒体１にインクリボンからインクを転写させて印字を施すように構成されている。また、プラテンローラ１４とサーマルヘッド１５とからなる印字部の、被印字媒体１の搬送方向下流側には、固定刃４０と可動刃６０とを備えた本実施の形態の切断装置が組み付けられており、印字が施された被印字媒体１は、固定刃４０と可動刃６０との噛み合わせにより切断されて発行される。
【００１４】
被印字媒体１は、紙管等の筒状体にロール状に巻き回された状態、すなわちロール紙２として供給部１６に回転可能に支持（収容）され、供給部１６からプラテンローラ１４とサーマルヘッド１５との間に供給される。また、インクリボンは、リボン供給軸１７とプラテンローラ１４に連動して回転駆動されるリボン巻取り軸１８との間に架け渡され、リボン供給軸１７にロール状に巻き回された状態で支持されたインクリボンが、プラテンローラ１４とサーマルヘッド１５との間に被印字媒体１と共に供給され、転写後のインクリボンが、リボン巻取り軸１８によって巻き取られるようになっている。
【００１５】
また、プリンタ１０は、プラテンローラ１４および供給部１６を備え、上部が解放された筐体本体１１と、筐体本体１１の上部を覆う蓋部１３と、サーマルヘッド１５、リボン供給軸１７およびリボン巻取り軸１８を備え、筐体本体１１と蓋部１３との間に配置された印字ユニット１９とからなり、蓋部１３と印字ユニット１９とは、印字済みの被印字媒体１が排出される排出口２０が設けられている手前側から開くように構成され、筐体本体１１の奥側に設けられている支持軸１２によって、回動可能に支持されている。
【００１６】
図１には、蓋部１３が閉じられた閉成状態のプリンタ１０が示されており、閉成状態では、印字ユニット１９に設けられたＵ状の係合部２１が、筐体本体１１に設けられているプラテンローラ１４の軸受２２と係合することで、印字ユニット１９のサーマルヘッド１５がプラテンローラ１４に押し当てられて位置決めされると共に、筐体本体１１に取り付けられている可動刃６０に対して固定刃４０を適正な位置に位置決めされるようになっている。なお、印字ユニット１９は、蓋部１３に嵌脱可能に構成されており、図１に示す閉成状態において、印字ユニット１９が蓋部１３に嵌装された嵌装状態となっている。
【００１７】
図２には、蓋部１３が開放された開放状態のプリンタ１０が示されており、図示しない連結部材によって蓋部１３と印字ユニット１９とが連結されているため、蓋部１３と印字ユニット１９とを一体、すなわち印字ユニット１９が蓋部１３に嵌装された嵌装状態で、蓋部１３および印字ユニット１９を筐体本体１１の支持軸１２を軸にして回動させることができ、これにより、筐体本体１１に設けられているプラテンローラ１４と印字ユニット１９に設けられているサーマルヘッド１５とが離間されると共に、筐体本体１１に設けられている供給部１６の上方が解放され、ロール紙２の交換を容易に行うことができ、さらに、蓋部１３に取り付けられている固定刃４０が筐体本体１１に取り付けられている可動刃６０から離間される。
【００１８】
図３には、蓋部１３から印字ユニット１９を引き出した状態のプリンタ１０が示されており、図２に示す開放状態において、図示しない連結部材による蓋部１３と印字ユニット１９との連結を解除させることで、蓋部１３に嵌装された印字ユニット１９を筐体本体１１側に引き出して、印字ユニット１９の上方を解放させ、インクリボンの交換を行うことができるようになっている。なお、固定刃４０は、蓋部１３内に支持されるホルダ軸４１によって、蓋部１３内で回動可能に構成された固定刃ホルダ４２に取り付けられている。固定刃ホルダ４２は、固定刃ホルダ４２に形成された突出部４３と蓋部１３との間に介装された引っ張りバネ４４によって、常時、印字ユニット１９側に付勢されていると共に、図４および図５を参照すると、固定刃ホルダ４２の両側には、被印字媒体１の幅より広い間隔で、且つ被印字媒体１の搬送路の域外に、印字ユニット１９と摺接する摺接片４５がそれぞれ設けられている。これにより、印字ユニット１９が蓋部１３に嵌装された嵌装状態では、引っ張りバネ４４の付勢力によって、固定刃ホルダ４２の摺接片４５が印字ユニット１９に押圧されることで、嵌装状態が維持され、印字ユニット１９を蓋部１３から引き出す際には、摺接片４５が印字ユニット１９と摺接することで、引っ張りバネ４４による付勢力に抗して、固定刃ホルダ４２が図３に矢印Ａで示す方向、すなわち固定刃４０が印字ユニット１９から離れる方向に回動され、固定刃４０が印字ユニット１９に接触しないように退避される。
【００１９】
図４および図５を参照すると、固定刃４０は、直線状の刃先線４０ａを有し、固定刃ホルダ４２に形成されているマウント部４６にネジ４７を用いて固定されており、図１に示す閉成状態において、直線状の刃先線４０ａが、筐体本体１１に設けられている可動刃６０、すなわち可動刃６０の切断幅方向の中央部がＶ字型に窪む刃先線６０ａに対向するように配置される。なお、固定刃４０と可動刃６０とは、いずれも片刃であり、図１に示す閉成状態において、被印字媒体１の搬送方向上流側に固定刃４０の刃面４０ｂが、被印字媒体１の搬送方向下流側に可動刃６０の刃面６０ｂがそれぞれ向くように配置され、可動刃６０を固定刃４０に向けて移動させることで、固定刃４０の刃先線４０ａと可動刃６０の刃先線６０ａとが噛み合うようになっている。
【００２０】
また、固定刃ホルダ４２に固定された固定刃４０には、刃面４０ｂ側から刃先線４０ａを覆うカバー部材４８が、コの字状のクリップ部材４９によって、固定刃４０に沿ってスライド可能に取り付けられていると共に、固定刃ホルダ４２には、カバー部材４８を固定刃４０の刃先線４０ａに向けて付勢するバネ５０がネジ５１によって固定されており、外力が加わらず、バネ５０によって付勢された状態、すなわち図２および図３のように、蓋部１３が開いた状態では、図４に示すように、カバー部材４８は、バネ５０の付勢力によって刃先線４０ａの方向にスライド移動されることで、刃面４０ｂ側から刃先線４０ａに延出して刃先線４０ａを覆い、カバー部材４８によって刃先線４０ａが露出しないようにカバーされた固定刃覆蓋状態となる。
【００２１】
また、カバー部材４８は、樹脂等の弾性材料で構成され、固定刃４０の刃面４０ｂに対向する面の反対面には、ガイド面４８ａが形成されていると共に、カバー部材４８の両端には、被印字媒体１の幅より広い間隔で、且つ被印字媒体１の搬送路の域外に、バネ５０の付勢方向に突出した突起部４８ｂそれぞれが形成されている。
【００２２】
蓋部１３が閉じられた図１に示す閉成状態においては、図６に示すように、カバー部材４８に形成された突起部４８ｂが、筐体本体１１に設けられている被当接部２３に当接することで、カバー部材４８がバネ５０による付勢力に抗して、固定刃４０の根元側にスライド移動されるようになっており、刃先線４０ａがカバー部材４８から露出した固定刃露出状態となる。なお、本実施の形態では、カバー部材４８によって刃面４０ｂ側から刃先線４０ａを覆うように構成しているため、突起部４８ｂが筐体本体１１の被当接部２３に当接してカバー部材４８が固定刃４０の根元側にスライド移動される際に、カバー部材４８が刃面４０ｂに沿って移動されるため、固定刃４０の刃先線４０ａに引っ掛かることなく、確実に刃先線４０ａをカバー部材４８から露出させることができる。
【００２３】
また、図６に示す固定刃露出状態では、カバー部材４８に形成されているガイド面４８ａは、図６（ａ）に矢印で示す被印字媒体１の搬送方向に対して鋭角をなすと共に、ガイド面４８ａの最下辺Ｘの高さが刃面４０ｂの最上辺Ｙの高さよりも下方に位置するように構成されている。したがって、印字部で挟持搬送されて印字された被印字媒体１は、先端が暴れてガイド面４８ａに当接しても、ガイド面４８ａおよび刃面４０ｂに案内されて固定刃４０と可動刃６０との間に案内され、カバー部材４８のガイド面４８ａは、印字部で印字された被印字媒体１を固定刃４０と可動刃６０との間に案内するガイド手段として機能することになる。
【００２４】
以上説明したように、本実施の形態によれば、固定刃４０を被印字媒体１の搬送方向上流側に刃面４０ｂが向くように配置すると共に、固定刃４０にスライド可能に取り付けられ、蓋部１３の解放時に、固定刃４０の刃先線４０ａを刃面４０ｂ側から覆うと共に、蓋部１３の閉成時に、固定刃４０の根元方向にスライド移動され、固定刃４０の刃先線４０ａを露出させるカバー部材４８を設けることにより、蓋部１３の解放時には、カバー部材４８よって固定刃４０の刃先線４０ａが覆われるため、ロール紙２（被印字媒体１）の交換や清掃等により蓋部１３を開放しても、蓋部１３に取り付けられた固定刃４０が露出することなく、蓋部に取り付けられた固定刃４０を意識することなく交換や清掃等の作業を行うことができ、作業効率を向上させることができると共に、カバー部材４８によって刃面４０ｂ側から刃先線４０ａを覆うように構成しているため、固定刃４０の刃先線４０ａに引っ掛かることなく、カバー部材４８をスライド移動させることができ、蓋部１３の閉成時に固定刃４０の刃先線４０ａをカバー部材４８から確実に露出させることができるという効果を奏する。
【００２５】
また、本実施の形態によれば、蓋部１３に嵌装されている印字ユニット１９を引き出す際に、固定刃４０が印字ユニット１９に接触しないように退避させる、固定刃４０が取り付けられた固定刃ホルダ４２と、固定刃４０にスライド可能に取り付けられ、固定刃４０の刃先線４０ａを刃面４０ｂ側から覆うカバー部材４８と、固定刃ホルダ４２に取り付けられ、カバー部材４８を固定刃４０の刃先線４０ａ方向に付勢するバネ５０と、カバー部材４８の両端に形成され、被印字媒体１の幅より広い間隔で、且つ被印字媒体１の搬送路の域外に、バネ５０の付勢方向に突出した突起部４８ｂとを設け、蓋部１３の解放時には、カバー部材４８がバネ５０の付勢力によって刃先線４０ａの方向にスライド移動されることで、固定刃４０の刃先線４０ａがカバー部材４８によって覆われ、蓋部１３の閉成時には、カバー部材４８に形成されたバネ５０が筐体本体１１に設けられた被当接部２３と当接することで、カバー部材４８がバネ５０の付勢力に抗して固定刃４０の根元方向にスライド移動され、固定刃４０の刃先線４０ａがカバー部材４８から露出されるように構成することにより、固定刃４０の刃先線４０ａを覆うカバー部材４８が固定刃４０に取り付けられ、且つ固定刃ホルダ４２に取り付けられたバネ５０によってカバー部材４８が刃先線４０ａの方向にスライド移動され、固定刃４０の刃先線４０ａがカバー部材４８によって覆われるため、固定刃ホルダ４２が固定刃４０を印字ユニット１９に接触しないように退避させても、カバー部材４８によって確実に固定刃４０の刃先線４０ａを覆うことができるという効果を奏する。
【００２６】
さらに、本実施の形態によれば、蓋部１３の閉成時に、被印字媒体１を固定刃４０と可動刃６０との間に案内するガイド手段として機能するガイド面４８ａをカバー部材４８に形成するように構成することにより、蓋部１３の解放時に固定刃４０を覆うカバー部材４８を、蓋部の閉成時に被印字媒体１を案内するガイド手段として用いることができるため、装遅構成を簡略化することができ、コストダウンを実現することができるという効果を奏する。
【００２７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２８】
【図１】本発明に係る切断装置の実施の形態が組み込まれたプリンタの構成を示す概略側断面図である。
【図２】図１に示すプリンタの蓋部を開けた状態を示す概略側断面図である。
【図３】図１に示すプリンタの印字ユニットを引き出した状態を示す概略側断面図である。
【図４】本発明に係る切断装置の実施の形態における固定刃覆蓋状態の構成を示す側面図および斜視図である。
【図５】図４に示す固定刃およびカバー部材の取り付けユニットの構成を示す分解斜視図である。
【図６】本発明に係る切断装置の実施の形態における固定刃露出状態の構成を示す側面図および斜視図である。
【符号の説明】
【００２９】
１  被印字媒体
２  ロール紙
１０  プリンタ
１１  筐体本体
１２  支持軸
１３  蓋部
１４  プラテンローラ
１５  サーマルヘッド
１６  供給部
１７  リボン供給軸
１８  リボン巻取り軸
１９  印字ユニット
２０  排出口
２１  係合部
２２  軸受
２３  被当接部（被当接手段）
３０  切断装置
４０  固定刃
４０ａ  刃先線
４０ｂ  刃面
４１  ホルダ軸
４２  固定刃ホルダ
４３  突出部
４４  引っ張りバネ
４５  摺接片
４６  マウント部
４７  ネジ
４８  カバー部材（カバー手段）
４８ａ  ガイド面
４８ｂ  突起部（突起手段）
４９  クリップ部材
５０  バネ（付勢手段）
５１  ネジ
６０  可動刃
６０ａ  刃先線
６０ｂ  刃面
【図１】
2010005734.tif 000003
【図２】
2010005734.tif 000004
【図３】
2010005734.tif 000005
【図４】
2010005734.tif 000006
【図５】
2010005734.tif 000007
【図６】
2010005734.tif 000008